(57)【特許請求の範囲】
【請求項１】
蓋体の天井面に鏡を有するコンパクト容器であって、
前記蓋体は、前記鏡を取付ける凹部を有し、
該凹部の周側面の一部に、内側に弾性体を配置した第一の溝を形成し、該第一の溝と対向する位置に第二の溝を形成して、
前記鏡の端部を前記第一及び第二の溝に挿入させることで前記鏡を保持するとともに、
前記鏡を前記弾性体の付勢に抗して第一の溝方向に押圧することで、前記鏡の一端と第二の溝との係合を解除することが可能な分別収集対応コンパクト容器。
【発明の詳細な説明】
【０００１】
【発明の属する技術分野】
本発明は、蓋体に鏡を有するコンパクト容器に関し、コンパクト容器の蓋体や容器本体と材質の異なる鏡を破棄する際、容易に分離することができるコンパクト容器に関する。
【０００２】
【従来の技術】
近年のごみ問題に鑑み、ごみの回収、資源としての再利用を目的として、容器を材質毎に分解し、これらを分別廃棄する使用者の意識が高まり、化粧品容器に関しても、コンパクト容器の大部分を形成する合成樹脂とは異なった異材質部材の分離を課題とした多くの発明が提案されている。
【０００３】
化粧料を収納して携帯するコンパクト容器の多くは、場所を選ばず手軽に使用者が化粧を行えるように、蓋体の天井面に鏡が取付けられている。しかしながら、硝子により構成されたこの鏡も、プラスチックが主材料である容器本体及び蓋体に対して異材質となるため、上述の理由によりコンパクト容器を廃棄する際、取り外すことが望ましい。
【０００４】
鏡の分別廃棄を目的とした従来技術として、特開平10- 5037号公報に記載されるコンパクト容器がある。このコンパクト容器では、鏡を取りつける凹部の周側面全体に溝を形成し、この溝に弾性を有する環状の鏡枠を取付け、この鏡枠の中央に鏡を圧入することにより、鏡枠がその弾性力に基づいて鏡を摩擦係合させる。かかるコンパクト容器によれば、鏡が接着剤等により蓋体に強固に取付けられている場合に比べて、小さい力で容易に取り外すことができ、コンパクト容器の分別廃棄をより進めることができる。
【０００５】
【発明が解決しようとする課題】
しかしながら、上述したコンパクト容器は、鏡枠が鏡の全周に亘ってこれを押圧するために保持力が強く、鏡枠の周縁に形成した切欠部から鏡枠に爪をかけて力ずくでこれを取り外さなければならない。このため、使用者である女性にとっては鏡の円滑な分離作業が難しく、また、爪を傷つけてしまう虞のあり、必ずしも良好な分別構造とはいえない。
【０００６】
加えて、意匠的にも、鏡の全周囲に鏡枠が現れ、切欠部も形成されることから、コンパクト容器の内部が美観を欠いてしまうという欠点もあった。
【０００７】
そこで、本件発明は、コンパクト容器の廃棄時、機構的に鏡を蓋体から容易に取り外すことができ、かつコンパクト容器内部の美観に影響を与えない分別収集対応コンパクト容器を提供することを目的とする。
【０００８】
【課題を解決するための手段】
本発明にかかる分別収拾対応コンパクト容器は、蓋体の天井面に鏡を有するコンパクト容器であって、前記蓋体は、前記鏡を取付ける凹部を有し、該凹部の周側面の一部に、内側に弾性体を配置した第一の溝を形成し、該第一の溝と対向する位置に第二の溝を形成して、前記鏡の端部を前記第一及び第二の溝に挿入させることで前記鏡を保持するとともに、前記鏡を前記弾性体の付勢に抗して第一の溝方向に押圧することで前記鏡の一端と第二の溝との係合を解除することが可能な構造として上記課題を解決している。
【０００９】
【発明の実施の形態】
本発明の第一実施形態を図１乃至図４に基づいて説明する。図１は、本実施形態のコンパクト容器の側断面図、図２は同コンパクト容器の蓋体の分解斜視図、図３は鏡の蓋体への取り付け作業の説明図、図４は鏡の蓋体からの取外し作業の説明図である。
【００１０】
図１乃至図２に示すように、コンパクト容器Ａは蓋体１及び容器本体２から構成され、それぞれポリプロピレン等の合成樹脂により形成されている。これら蓋体１と容器本体２の一端にはヒンジ部１ａ、２ａが設けられ、両者に形成された軸穴１ｄ、２ｄ間に回動軸３を通すことによって両者を枢着している。また、これら蓋体１と容器本体２の他端には、係合爪１ｂと係合突起２ｂが形成されており、両者は蓋体１を回動させて容器本体２に重ねた場合に係合し、コンパクト容器Ａの閉状態を維持することができる。
【００１１】
容器本体２は略四辺形の平面形状を有し、中央部は大きくくぼんで、凹部２ｃが形成されており、この部分に化粧料Ｋを充填できる構造となっている。
【００１２】
蓋体１も略四辺形の平面形状を有し、天面の中央部は浅くくぼんで四辺形の鏡取付凹部１ｃが形成されている。この鏡取付凹部１ｃには鏡４が嵌着されるが、その周側面１ｅのうち、対向する２辺には第一の溝１ｆ、第二の溝１ｇが形成されて、それぞれ天面側がオーバーハング部１ｈ、１ｉとなる。
【００１３】
第一の溝１ｆ内には、第二の溝１ｇ側に向かって鏡４付勢するスプリング５が配置されている。鏡４の長さをＭ、鏡取付凹部１ｃの長さをＲ、第一の溝１ｆ、第二の溝１ｇの深さをそれぞれＧ１、Ｇ２、さらにスプリング５の縮んだ長さをＳ１、伸びた長さをＳ２とすると、次のとおりに設定される。
【００１４】
Ｍ＞Ｒ、Ｍ＜Ｒ＋Ｇ１−Ｓ１、Ｍ＋Ｓ２＞Ｒ＋Ｇ１＋Ｇ２
【００１５】
以上の条件を満たすことにより、鏡４の一端４ａを第一の溝１ｆに挿入し、さらに他端を第二の溝１ｇに挿入すると、鏡４の他端４ｂはスプリング５により第二の溝１ｇ側に押圧され、両端４ａ、４ｂがそれぞれの溝１ｆ、１ｇのオーバーハング部１ｈ、１ｉにかかって凹部１ｃから脱落することなく、かつスプリング５の付勢により自由移動することなく鏡取付凹部１ｃ内に保持されることになる。
【００１６】
また、第一の溝１ｆ近傍の、鏡取付凹部１ｃの天井面は更に落ち込んでおり、鏡４を斜めに挿入する際に干渉を少なくするために、段部１ｋを形成している。
【００１７】
図３を用いて、コンパクト容器の生産工程における上記鏡４の取付方法を重ねて説明する。図３(a) は未だ鏡４を装着しない状態の蓋体１を示す。この状態においては、第一の溝１ｆに挿入されたスプリング５は伸び切った状態となっている。
【００１８】
次に、図３(b) に示すように、鏡４の一端４ａを第一の溝１ｆに挿入し、スプリング５を押圧し、この端部４ａを第一の溝１ｆに挿入する。この際、鏡取付凹部１ｃの第一の溝１ｆの近傍には段部１ｋが形成されているため、鏡４を蓋体１に対して斜めに挿入することが可能となる。
【００１９】
さらに、図３(c) に示すように、鏡４をスプリング５の圧縮限度まで押圧した状態で蓋体１と平行させると、各部材の寸法は上記した通りに設定されるため、鏡４の他端４ｂが第二の溝１ｇのオーバーハング部１ｉを乗り越えることができる。
【００２０】
そして、図３(d) に示すように、鏡４を鏡取付凹部１ｃ内で蓋体１に対して平行に置いた状態で、鏡４の押圧を解除すると、鏡４は、スプリング５の弾性力により第二の溝１ｇ方向へ移動し、もって、鏡４は両端４ａ、４ｂがオーバーハング部１ｈ、１ｉに保持されて蓋体１の鏡取付凹部１ｃ内に保持されることになる。なお、スプリング５は、上記した寸法条件では完全に伸び切っておらず、図３(d) の状態でも鏡４を付勢し続けるため、鏡４が鏡取付凹部１ｃ内で自由に動いてしまうことはない。
【００２１】
図４を用いて、上記鏡４の分離方法を説明する。図４(a) に示すように、コンパクト容器Ａの化粧料Ｋ（図１参照）を消費し、コンパクト容器を材質別に分別破棄する場合は、回動軸３（図１参照）を外すことにより、蓋体１を分離させる。
【００２２】
その上で、図４(b) に示すように、指Ｆで鏡４の所定位置を押圧しながら、力ｆ１を加えて鏡４をスプリング５の付勢に抗して第一の溝１ｆ側へスライドさせ、鏡４の第二の溝１ｇ側の端部４ｂを露出させる。
【００２３】
そして、図４(c) に示すように、鏡４をスプリング５の縮み限界まで移動させた後、蓋体１側への力ｆ２で鏡４を押圧すると、鏡４の第一の溝１ｆ側の端部４ａがこの段部１ｋに落ち込み、鏡４が傾斜して他端４ｂを跳ね上げることができる。そして、このまま、鏡４を第一の溝１ｆから抜き取ることにより、鏡４の分離作業を完了する。
【００２４】
以上説明したように、本実施形態のコンパクト容器Ａによれば、コンパクト容器Ａの使用後、蓋体１に対して異材質となる鏡４を特別な治具を用いることなく簡単に分離して廃棄することができる。
【００２５】
特に、このコンパクト容器Ａでは、鏡取付凹部１ｃに段部１ｋを形成して、所定位置で鏡４を斜めに傾斜させることができるため、鏡４の取外しをより容易に実施することができる。
【００２６】
また、この鏡４の取外し機構は一切外観に現れないために、通常の鏡付コンパクト容器となんら変わりのない意匠を施すことができる。
【００２７】
なお、鏡４の一端４ａを段部１ｋに落ち込ませるためには、指Ｆを鏡４の所定位置にかけなければならないが、この位置を示すため、鏡４の表面に目立たないマークを表示すれば、なお使いやすい鏡の分離可能なコンパクト容器とすることができる。
【００２８】
また、第一の溝１ｆ内に取付けたスプリング５は、本実施形態では１つとしたが、鏡４を第二の溝１ｇ方向に安定して押圧するため、左右２つ設けることもでき、その数は自由に設定できる。また、所定の伸縮ストロークを有せば、必ずしもコイルスプリングに限られるものではなく、板バネやゴム等のブロックでも良いことは勿論である。なお、これらスプリング５も蓋体１に対して異材質となるが、第一の溝１ｆ内に単に載置する構造とすれば、鏡４を分離した後、これらスプリング５も簡単に取り外すことができる。また、これら弾性体を鏡４側に取付けて、鏡４とともに取り外せる構造としても良いことは勿論である。
【００２９】
本発明の第２実施形態を図５及び図６を用いて説明する。図５は同実施形態の蓋体天面の平面図、図６は鏡の取外し作業の説明図である。本実施形態は、基本的には第１実施形態と同様の構造を有するが、さらに、硬貨の差込み部を形成して、より容易に鏡をスライドさせることが可能なコンパクト容器に関する。
【００３０】
本実施形態のコンパクト容器Ｂは、蓋体11と容器本体とから成るが、容器本体は第１実施形態と同様の構成を有するために図面による説明を省略する。
【００３１】
図５並びに図６(a) に示すように、蓋体11は、一端に軸穴11ｄが穿孔されたヒンジ部11ａを、そして他端に係合爪11ｂを有する。また、この蓋体11の天面は、中央部が浅くくぼんで四辺形の鏡取付凹部11ｃが形成されている。この鏡取付凹部11ｃには鏡４が嵌着されるが、その周側面11ｅの、対向する２辺には第一の溝11ｆ、第二の溝11ｇが形成され、天面側がオーバーハング部11ｈ、11ｉとなる。また、第一の溝11ｆにはスプリング５が配置され、またこの第一の溝11ｆの近傍には、鏡取付凹部11ｃがさらに深くくぼんだ段部11ｋが形成されている。
【００３２】
第二の溝11ｇの中央部にはヒンジ部11ａ外側に開口し、硬貨Ｍを挿入可能な硬貨用凹部11ｍが形成されている。この硬貨用凹部11ｍは、挿入した硬貨Ｍの先端が第二の溝11ｇのオーバーハング部11ｉを超えるような深さに形成されている。
【００３３】
次に、図６を用いて、コンパクト容器Ｂにおける鏡の取外方法を説明する。まず、図６(a) に示すように、蓋体11を取り外した状態で、硬貨Ｍを蓋体11の外側から硬貨用凹部11ｍに挿入する。
【００３４】
図６(b) に示すように、さらに硬貨Ｍを硬貨用凹部11ｍの奥まで押し込み、その先端を鏡４の端部４ｂに当接させる。そして、力ｆ１を加えて、鏡４をスプリング５の付勢に抗して第一の溝11ｆ側に押圧する。硬貨Ｍを硬貨用凹部11ｍの許容限度まで押し込むと、鏡４の端部４ｂが第二の溝11ｇのオーバーハング部11ｉから露出することになる。
【００３５】
そのうえで、図６(c) に示すように、指Ｆで第一の溝11ｆ近傍を力ｆ２を加えて押圧すると、鏡４の一端４ａが段部11ｋに落ち込み、鏡４の他端４ｂを跳ね上げることができる。そして、鏡４を、この端部４ｂを持って引き抜くことにより、鏡４を蓋体１から簡単に分離させることができる。
【００３６】
このように本実施形態では、第１実施形態に比べて、鏡４を鏡取付凹部11ｃ内で確実にスライドさせることができ、もって鏡４の取外しをより容易に行うことができる。
【００３７】
なお、本実施形態では、鏡４の押圧具として硬貨Ｍを用いたが、もちろん、これに限られるものではなく、ドライバー等の押圧具を用いても良い。これに関連して、硬貨用凹部11ｍは押圧具の形状に合わせて多様な形状とすることができるのも勿論である。
【００３８】
【発明の効果】
以上説明したように、本発明によれば、コンパクト容器の蓋体や容器本体に対して異材質である鏡を、蓋体の凹部内でスライドさせるだけで簡単に取り外すことができ、コンパクト容器の分別破棄、材質の再利用をより完全に行うことができる。
【００３９】
また、鏡を蓋体の凹部内で保持する機構は、２つの溝とその内部に配置される弾性体とにより構成され、その機構は外部に露出しないので、意匠的にも優れたコンパクト容器を構成することができる。
【図面の簡単な説明】
【図１】第１実施形態のコンパクト容器の側断面図である。
【図２】同コンパクト容器の蓋体の分解斜視図である。
【図３】同コンパクト容器における鏡の蓋体への取り付け作業の説明図である。
【図４】同コンパクト容器における鏡の蓋体からの取外し作業の説明図である。
【図５】第２実施形態のコンパクト容器における蓋体天面の平面図である。
【図６】同コンパクト容器における鏡の蓋体からの取外し作業の説明図である。
【符号の説明】
Ａ、Ｂ    …コンパクト容器（分別収集対応コンパクト容器）
Ｋ    …化粧料
Ｍ    …硬貨
１、11      …蓋体
１ｃ、11ｃ  …鏡取付凹部（凹部）
１ｅ、11ｅ  …周側面
１ｆ、11ｆ  …第一の溝
１ｇ、11ｇ  …第二の溝
１ｈ、11ｈ  …オーバーハング部
１ｉ、11ｉ  …オーバーハング部
１ｋ、11ｋ  …段部
11ｍ  …硬貨用凹部
２    …容器本体
３    …回動軸
４    …鏡
４ａ  …鏡の一端（端部）
４ｂ  …鏡の他端（端部）
５    …スプリング（弾性体）
【図１】
0004220596.tif 000002
【図２】
0004220596.tif 000003
【図３】
0004220596.tif 000004
【図４】
0004220596.tif 000005
【図５】
0004220596.tif 000006
【図６】
0004220596.tif 000007